(57)【要約】【課題】シート検査が可能なように設計され、単純な構造の画素回路を採用しながらも、シート検査時の輝度偏差を防止できるようにした有機電界発光表示装置のマザー基板及びその検査方法を提供する。【解決手段】複数の画素を含む複数の有機電界発光表示装置のパネルと、パネルの外郭領域に第１方向に形成されて外部から供給される検査用電源又は信号をパネルに伝達する複数のシート配線を含む第１配線グループと、パネルの外郭領域に第２方向に形成されて外部から供給される検査用電源又は信号をパネルに伝達する複数の他のシート配線を含む第２配線グループと、外部から供給されるシート検査信号からパネルの画素に備えられた駆動トランジスタの閾値電圧に相応する電圧を差し引いてパネルに供給する補償部と、を備え、第１及び第２配線グループに含まれたシート配線のうち、シート検査信号を伝達するシート配線は各パネルに連結する連結配線に接続される。【選択図】図１
2011082130.tif 000002
【特許請求の範囲】
【請求項１】
マトリクス状に配列される複数の画素を含む複数の有機電界発光表示装置のパネルと、
前記パネルの外郭領域に第１方向に形成されて外部から供給される検査用電源又は信号を前記パネルに伝達する複数のシート配線を含む第１配線グループと、
前記パネルの外郭領域に第２方向に形成されて外部から供給される検査用電源又は信号を前記パネルに伝達する複数の他のシート配線を含む第２配線グループと、
外部から供給されるシート検査信号から前記パネルの画素に備えられた駆動トランジスタの閾値電圧に相応する電圧を差し引いて前記パネルに供給する補償部と、
を備え、
前記第１及び第２配線グループに含まれたシート配線のうち、前記シート検査信号を伝達するシート配線は各前記パネルに連結する連結配線に接続されることを特徴とする、有機電界発光表示装置のマザー基板。
【請求項２】
前記補償部は、
前記シート検査信号を伝達するシート配線と該シート検査信号の伝達を受ける前記パネルのパッドとの間に接続される第１トランジスタと、
前記第１トランジスタのゲート電極とドレイン電極との間に接続され、第１スイッチング信号により前記シート検査信号が伝達される期間に前記第１トランジスタをダイオード連結する第２トランジスタと、
前記第１トランジスタのゲート電極とゲートハイレベル電圧源との間に接続されるキャパシタと、
を含むことを特徴とする請求項１に記載の有機電界発光表示装置のマザー基板。
【請求項３】
前記補償部は、前記第１トランジスタのドレイン電極とリセット電圧源との間に接続され、第２スイッチング信号により前記シート検査信号が伝達される期間の前であるリセット期間に前記第１トランジスタのドレイン電極の電圧を初期化する第３トランジスタを更に含むことを特徴とする請求項２に記載の有機電界発光表示装置のマザー基板。
【請求項４】
前記補償部は、自身を経由して前記シート検査信号の伝達を受けるパネルのスクライビングラインの外部に位置することを特徴とする請求項１に記載の有機電界発光表示装置のマザー基板。
【請求項５】
各前記パネルは、
外部から供給される検査用電源及び信号を前記パネルの内部に伝達するための複数のパッドを備えるパッド部と、
データ線及び走査線の交差部に位置する複数の画素を備える画素部と、
前記走査線に走査信号を供給するための走査駆動部と、
前記データ線の一側端と前記パッド部との間に接続されて前記パッド部を介して供給されるアレイ検査信号又はリセット電圧を前記データ線に供給するための複数の第１検査トランジスタを備える第１検査部と、
前記第１検査部と前記データ線との間に接続されて前記第１検査トランジスタのそれぞれから供給されるアレイ検査信号又はリセット電圧を複数のデータ線に分配して出力するデータ分配部と、
前記データ線の他側端と前記補償部との間に接続されて前記補償部から供給される前記シート検査信号を前記データ線に伝達するための複数の第２検査トランジスタを備える第２検査部と
を備えることを特徴とする請求項１に記載の有機電界発光表示装置のマザー基板。
【請求項６】
前記第１検査部及び前記データ分配部は、シート検査期間中、前記第２検査部を介して前記シート検査信号が伝達される期間の前であるリセット期間にターンオンされて、前記パッド部から伝達されるリセット電圧を前記データ線に供給することを特徴とする請求項５に記載の有機電界発光表示装置のマザー基板。
【請求項７】
各前記パネルは、赤色光を放出する赤色画素、緑色光を放出する緑色画素及び青色光を放出する青色画素を含み、
前記シート検査信号を伝達するシート配線は、前記赤色画素、緑色画素及び青色画素にそれぞれ赤色シート検査信号、緑色シート検査信号及び青色シート検査信号を伝達する少なくとも３つの配線で構成され、
前記補償部は、各前記少なくとも３つの配線にそれぞれ接続される補償回路を含むことを特徴とする請求項１に記載の有機電界発光表示装置のマザー基板。
【請求項８】
前記シート検査信号は、点灯検査信号又はエージング信号に設定されることを特徴とする請求項１に記載の有機電界発光表示装置のマザー基板。
【請求項９】
前記パネルは映像を表示するための複数の画素を備え、各前記画素は、
第１画素電源と第２画素電源との間に接続される有機電界発光ダイオードと、
前記第１画素電源と前記有機電界発光ダイオードとの間に接続される駆動トランジスタと、
前記駆動トランジスタのゲート電極とソース電極との間に接続されるストレージキャパシタと、
前記駆動トランジスタのゲート電極とデータ線との間に接続され、ゲート電極が走査線に接続されるスイッチングトランジスタと、
を含んで構成されることを特徴とする請求項１に記載の有機電界発光表示装置のマザー基板。
【請求項１０】
走査線及びデータ線の交差部に位置する複数の画素を含む複数のパネルと、前記複数のパネルの外郭に位置して前記複数のパネルに検査用電源又は信号を供給する複数のシート配線を備える有機電界発光表示装置のマザー基板をシート単位で検査する有機電界発光表示装置のシート検査方法であって、
前記シート配線のうち、一部のシート配線を用いて前記複数のパネルのデータ線にシート検査信号を供給し、前記シート検査信号から前記画素に備えられた駆動トランジスタの閾値電圧に相応する電圧を差し引いて前記パネルに供給することを特徴とする有機電界発光表示装置のシート検査方法。
【請求項１１】
前記シート検査信号を前記パネルに伝達するシート配線にダイオード連結されたトランジスタを経由して前記シート検査信号を前記パネルに供給することを特徴とする請求項１０に記載の有機電界発光表示装置のシート検査方法。
【請求項１２】
前記シート検査信号の供給に先立って、前記シート配線のうち他のシート配線を用いて前記複数のパネルのデータ線にリセット電圧を供給することを特徴とする請求項１０に記載の有機電界発光表示装置のシート検査方法。
【発明の詳細な説明】
【技術分野】
【０００１】
本発明はシート検査が可能なように設計され、単純な構造の画素回路を採用しながらも、シート検査時の輝度偏差を防止できるようにした有機電界発光表示装置のマザー基板及びその検査方法に関する。
【背景技術】
【０００２】
一般に、複数の有機電界発光表示装置（Ｏｒｇａｎｉｃ  Ｌｉｇｈｔ  Ｅｍｉｔｔｉｎｇ  Ｄｉｓｐｌａｙ）のパネルは１つのマザー基板上で形成された後、スクライビングされて個々のパネルに分離される。即ち、大量の有機電界発光表示装置をより効率的に生産するために複数の有機電界発光表示装置のパネルを１つのマザー基板上で形成した後、これを個別のパネルに切断（スクライビング）する、いわゆる「シート単位（Ｓｈｅｅｔ  Ｕｎｉｔ）」の生産方式が導入された。
【０００３】
このように、個別に分離された有機電界発光表示装置のパネルに対する検査はパネル単位の検査装備でパネル毎に個別に行われる。しかしながら、この場合、それぞれのパネルを別々に検査しなければならないため、検査の効率性が低下する。
【０００４】
従って、有機電界発光表示装置のパネル検査は、それぞれのパネルがマザー基板から分離される以前にシート単位で行なわれなければならない必要がある。
【０００５】
但し、そのためには、複数のパネルにシート検査のための電源及び／又は信号を供給するための複数のシート配線がマザー基板上に設計されなければならない。
【０００６】
シート配線はシート検査パッドを介して外部の検査装置から供給されるシート検査信号などをそれぞれのパネル内部に伝達する。
【先行技術文献】
【特許文献】
【０００７】
【特許文献１】大韓民国特許公開第２００８−００８５５７５号
【発明の概要】
【発明が解決しようとする課題】
【０００８】
しかし、駆動トランジスタの閾値電圧を補償するための補償回路が画素内部に形成されない単純な構造の画素回路を採用した有機電界発光表示装置の場合、シート検査時にそれぞれの画素及び／又はパネルの間に輝度偏差が発生して検査の正確度が低下するなどの問題が発生し得る。また、この場合、シート単位でエージングを行う時もエージングを均一に適用できないという問題が発生し得る。
【０００９】
そこで、本発明は、上記問題に鑑みてなされたものであり、本発明の目的とするところは、シート検査が可能なように設計され、単純な構造の画素回路を採用しながらも、シート検査時の輝度偏差を防止できるようにした有機電界発光表示装置のマザー基板及びその検査方法を提供することにある。
【課題を解決するための手段】
【００１０】
上記課題を解決するために、本発明のある観点によれば、マトリクス状に配列される複数の画素を含む複数の有機電界発光表示装置のパネルと、前記パネルの外郭領域に第１方向に形成されて外部から供給される検査用電源又は信号を前記パネルに伝達する複数のシート配線を含む第１配線グループと、前記パネルの外郭領域に第２方向に形成されて外部から供給される検査用電源又は信号を前記パネルに伝達する複数の他のシート配線を含む第２配線グループと、外部から供給されるシート検査信号から前記パネルの画素に備えられた駆動トランジスタの閾値電圧に相応する電圧を差し引いて前記パネルに供給する補償部と、を備え、前記第１及び第２配線グループに含まれたシート配線のうち、前記シート検査信号を伝達するシート配線は各前記パネルに連結する連結配線に接続されることを特徴とする、有機電界発光表示装置のマザー基板が提供される。
【００１１】
前記補償部は、前記シート検査信号を伝達するシート配線と該シート検査信号の伝達を受ける前記パネルのパッドとの間に接続される第１トランジスタと、前記第１トランジスタのゲート電極とドレイン電極との間に接続され、第１スイッチング信号により前記シート検査信号が伝達される期間に前記第１トランジスタをダイオード連結する第２トランジスタと、前記第１トランジスタのゲート電極とゲートハイレベル電圧源との間に接続されるキャパシタと、を含んでいてもよい。
【００１２】
前記補償部は、前記第１トランジスタのドレイン電極とリセット電圧源との間に接続され、第２スイッチング信号により前記シート検査信号が伝達される期間の前であるリセット期間に前記第１トランジスタのドレイン電極の電圧を初期化する第３トランジスタを更に含んでいてもよい。
【００１３】
前記補償部は、自身を経由して前記シート検査信号の伝達を受けるパネルのスクライビングラインの外部に位置していてもよい。
【００１４】
各前記パネルは、外部から供給される検査用電源及び信号を前記パネルの内部に伝達するための複数のパッドを備えるパッド部と、データ線及び走査線の交差部に位置する複数の画素を備える画素部と、前記走査線に走査信号を供給するための走査駆動部と、前記データ線の一側端と前記パッド部との間に接続されて前記パッド部を介して供給されるアレイ検査信号又はリセット電圧を前記データ線に供給するための複数の第１検査トランジスタを備える第１検査部と、前記第１検査部と前記データ線との間に接続されて前記第１検査トランジスタのそれぞれから供給されるアレイ検査信号又はリセット電圧を複数のデータ線に分配して出力するデータ分配部と、前記データ線の他側端と前記補償部との間に接続されて前記補償部から供給される前記シート検査信号を前記データ線に伝達するための複数の第２検査トランジスタを備える第２検査部と、を備えていてもよい。
【００１５】
前記第１検査部及び前記データ分配部は、シート検査期間中、前記第２検査部を介して前記シート検査信号が伝達される期間の前であるリセット期間にターンオンされて、前記パッド部から伝達されるリセット電圧を前記データ線に供給してもよい。
【００１６】
各前記パネルは、赤色光を放出する赤色画素、緑色光を放出する緑色画素及び青色光を放出する青色画素を含み、前記シート検査信号を伝達するシート配線は、前記赤色画素、緑色画素及び青色画素にそれぞれ赤色シート検査信号、緑色シート検査信号及び青色シート検査信号を伝達する少なくとも３つの配線で構成され、前記補償部は、各前記少なくとも３つの配線にそれぞれ接続される補償回路を含んでいてもよい。
【００１７】
前記シート検査信号は、点灯検査信号又はエージング信号に設定されていてもよい。
【００１８】
前記パネルは映像を表示するための複数の画素を備え、各前記画素は、第１画素電源と第２画素電源との間に接続される有機電界発光ダイオードと、前記第１画素電源と前記有機電界発光ダイオードとの間に接続される駆動トランジスタと、前記駆動トランジスタのゲート電極とソース電極との間に接続されるストレージキャパシタと、前記駆動トランジスタのゲート電極とデータ線との間に接続され、ゲート電極が走査線に接続されるスイッチングトランジスタと、を含んで構成されていてもよい。
【００１９】
また、上記課題を解決するために、本発明の別の観点によれば、走査線及びデータ線の交差部に位置する複数の画素を含む複数のパネルと、前記複数のパネルの外郭に位置して前記複数のパネルに検査用電源又は信号を供給する複数のシート配線を備える有機電界発光表示装置のマザー基板をシート単位で検査する有機電界発光表示装置のシート検査方法であって、前記シート配線のうち、一部のシート配線を用いて前記複数のパネルのデータ線にシート検査信号を供給し、前記シート検査信号から前記画素に備えられた駆動トランジスタの閾値電圧に相応する電圧を差し引いて前記パネルに供給することを特徴とする有機電界発光表示装置のシート検査方法が提供される。
【００２０】
前記シート検査信号を前記パネルに伝達するシート配線にダイオード連結されたトランジスタを経由して前記シート検査信号を前記パネルに供給してもよい。
【００２１】
前記シート検査信号の供給に先立って、前記シート配線のうち他のシート配線を用いて前記複数のパネルのデータ線にリセット電圧を供給してもよい。
【発明の効果】
【００２２】
以上説明したように本発明によれば、マザー基板上にシート配線を設計してシート検査が可能なようにし、シート検査信号の入力ラインに駆動トランジスタの閾値電圧を補償するための補償部を連結することで、単純な構造の画素回路を採用した有機電界発光表示装置でもシート検査時の輝度偏差を防止すると共に、エージングを効果的に行えるという効果を奏する。
【図面の簡単な説明】
【００２３】
【図１】本発明の実施形態に係る有機電界発光表示装置の画素を示す回路図である。
【図２】本発明の実施形態に係る有機電界発光表示装置のマザー基板を概略的に示す平面図である。
【図３】図２に示す第１検査部及び第２検査部の詳細構成とその動作を説明する要部平面図である。
【図４】図３に示すＶｔｈ補償部の一例を示す回路図である。
【図５】図４に示すＶｔｈ補償部の駆動方法を説明する波形図である。
【図６】図３に示すＶｔｈ補償部の他の例を示す回路図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
図１は、本発明の実施形態に係る有機電界発光表示装置の画素を示す回路図である。便宜上、図１では第ｎの走査線Ｓｎ及び第ｍのデータ線Ｄｍと接続される画素を示す。
【００２６】
図１を参照すれば、画素１０は、有機電界発光ダイオードＯＬＥＤと、有機電界発光ダイオードＯＬＥＤに流れる駆動電流を制御するための画素回路１２を含む。
【００２７】
有機電界発光ダイオードＯＬＥＤのアノード電極は画素回路１２を経由して第１画素電源ＥＬＶＤＤに接続され、カソード電極は第２画素電源ＥＬＶＳＳに接続される。ここで、第１画素電源ＥＬＶＤＤは高電位画素電源に設定され、第２画素電源ＥＬＶＳＳは低電位画素電源に設定されることができる。このような有機電界発光ダイオードＯＬＥＤは、画素回路１２から供給される駆動電流に対応する輝度で発光する。
【００２８】
画素回路１２は、スイッチングトランジスタＳＴ、駆動トランジスタＤＴ及びストレージキャパシタＣｓｔを備える。
【００２９】
スイッチングトランジスタＳＴの第１電極はデータ線Ｄｍに接続され、第２電極は第１ノードＮ１に接続される。ここで、第１電極と第２電極は互いに異なる電極であって、例えば、第１電極がソース電極であれば、第２電極はドレイン電極である。そして、スイッチングトランジスタＳＴのゲート電極は走査線Ｓｎに接続される。このようなスイッチングトランジスタＳＴは走査線Ｓｎに走査信号（ローレベル）が供給される時にターンオンされてデータ線Ｄｍに供給されるデータ信号を第１ノードＮ１に供給する。
【００３０】
駆動トランジスタＤＴの第１電極は第１画素電源ＥＬＶＤＤに接続され、第２電極は有機電界発光ダイオードＯＬＥＤのアノード電極に接続される。そして、駆動トランジスタＤＴのゲート電極は第１ノードＮ１に接続される。このような駆動トランジスタＤＴは自身のゲート電極に供給される電圧に対応して第１画素電源ＥＬＶＤＤから有機電界発光ダイオードＯＬＥＤのアノード電極に流れる駆動電流を制御する。
【００３１】
ストレージキャパシタＣｓｔの一電極は第１ノードＮ１に接続され、他の電極は第１画素電源ＥＬＶＤＤ及び駆動トランジスタＤＴの第１電極（ソース電極）に接続される。このようなストレージキャパシタＣｓｔは走査線Ｓｎに走査信号が供給される時に第１ノードＮ１に供給されるデータ信号に対応する電圧を格納し、格納された電圧を１フレーム期間に維持する。
【００３２】
このような画素１０の動作過程を詳細に説明すれば、まず走査線Ｓｎに走査信号が供給されれば、スイッチングトランジスタＳＴがターンオンされる。
【００３３】
スイッチングトランジスタＳＴがターンオンされれば、データ線Ｄｍに供給されるデータ信号がスイッチングトランジスタＳＴを経由して第１ノードＮ１に供給される。
【００３４】
第１ノードＮ１にデータ信号が供給されれば、ストレージキャパシタＣｓｔにはデータ信号に対応する電圧が充電される。
【００３５】
すると、駆動トランジスタＤＴは自身のゲート−ソース間電圧Ｖｇｓ（即ち、データ信号に対応する電圧）に対応して第１画素電源ＥＬＶＤＤから有機電界発光ダイオードＯＬＥＤに流れる駆動電流を制御する。
【００３６】
これにより、有機電界発光ダイオードＯＬＥＤがデータ信号に対応する輝度で発光して映像を表示するようになる。
【００３７】
但し、前述したように単純な構造で画素回路１２が設計される画素１０で、駆動トランジスタＤＴは自身のゲート−ソース間電圧から閾値電圧Ｖｔｈを差し引いた電圧に対応する駆動電流を有機電界発光ダイオードＯＬＥＤに供給するようになる。
【００３８】
しかしながら、駆動トランジスタの閾値電圧は工程バラツキなどによってパネル或いは画素毎にその値に偏差が発生し得るものであって、閾値電圧の偏差により輝度散布が発生し得る。
【００３９】
これを防止するためには、画素回路１２内に閾値電圧を補償するための追加的な素子が形成されるか、或いは、画素１０の外部で閾値電圧を補償できるようにするデータ信号を供給しなければならない。
【００４０】
但し、画素１０の外部で閾値電圧が補償されるようにするデータ信号を供給する有機電界発光表示装置の場合、画素１０の構造が単純化するという長所を有するが、マザー基板の状態で実施されるシート検査が効果的に行われないという短所を有する。
【００４１】
より具体的には、マザー基板の状態でのシート検査はそれぞれのパネル上にデータ駆動部が実装されていない状態で行われ、シート検査信号は外部の検査装置からシート検査パッドに供給されてシート配線を介してそれぞれのパネルに供給されるようになる。
【００４２】
この場合、それぞれのパネルには閾値電圧が考慮されないシート検査信号が供給されるようになり、マザー基板全体的に駆動トランジスタの閾値電圧に応じてパネル間或いは画素間で輝度偏差が発生して検査の正確度が低下してしまうなどの問題が発生し得る。また、シート検査信号としてエージング信号を供給してエージングを行えるが、この場合にも閾値電圧の偏差が補償されず、エージングを均一に適用できないという問題が発生し得る。
【００４３】
従って、本実施形態ではシート検査が可能なように設計され、単純な構造の画素回路を採用しながらも、シート検査時の輝度偏差を防止できるようにした有機電界発光表示装置のマザー基板及びその検査方法を提供し、これについての詳細な説明は図２〜図６を参照して後述する。
【００４４】
図２は、本発明の一実施形態に係る有機電界発光表示装置のマザー基板を概略的に示す平面図である。そして、図３は、図２に示す第１検査部及び第２検査部の詳細構成とその動作を説明する要部平面図である。
【００４５】
図２〜図３を参照すれば、本発明の一実施形態に係る有機電界発光表示装置のマザー基板１００は、マトリクス状に配列される複数の有機電界発光表示装置のパネル１１０と、パネル１１０の外郭領域にそれぞれ第１方向及び第２方向に形成される第１配線グループ１２０及び第２配線グループ１３０を含む。
【００４６】
パネル１１０のそれぞれは、走査駆動部１４０、画素部１５０、第１検査部１６０、データ分配部１７０、第２検査部１８０及びパッド部１９０を含む。
【００４７】
走査駆動部１４０は、外部からパッド部１９０を経由して供給される走査駆動電源及び走査制御信号ＳＣＳに対応して走査信号を生成し、これを走査線Ｓ１〜Ｓｎに順次供給する。
【００４８】
画素部１５０は、データ線Ｄ１〜Ｄ３ｍ及び走査線Ｓ１〜Ｓｎの交差部に位置する複数の画素１５２を備える。ここで、画素１５２は、図１に示した画素１０のような、単純な構造で構成されていてもよい。
【００４９】
第１検査部１６０は、データ分配部１７０を介してデータ線Ｄ１〜Ｄ３ｍの一側端に電気的に連結されてデータ線Ｄ１〜Ｄ３ｍにアレイ検査信号ＴＤ１又はリセット電圧Ｖｒｅｓｅｔを供給する。
【００５０】
より具体的には、図３に示したように、第１検査部１６０はデータ線Ｄ１〜Ｄ３ｍの一側端とパッド部１９０との間に接続されてパッド部１９０を介して供給されるアレイ検査信号ＴＤ１又はリセット電圧Ｖｒｅｓｅｔをデータ線Ｄ１〜Ｄ３ｍに供給するための複数の第１検査トランジスタＭ１１〜Ｍ１ｍを備える。
【００５１】
ここで、第１検査トランジスタＭ１１〜Ｍ１ｍのソース電極はパッド部１９０に備えられた第１パッドＰ１に共通して接続され、ドレイン電極はデータ分配部１７０を経由してそれぞれのデータ線Ｄ１〜Ｄ３ｍに接続される。そして、第１検査トランジスタＭ１１〜Ｍ１ｍのゲート電極はパッド部１９０に備えられた第２パッドＰ２に共通して接続される。
【００５２】
このような第１検査トランジスタＭ１１〜Ｍ１ｍはアレイ検査が行われる間、第２パッドＰ２から供給されるアレイ検査制御信号ＴＤ２に対応して同時にターンオンされて第１パッドＰ１から供給されるアレイ検査信号ＴＤ１をデータ分配部１７０に出力する。そして、データ分配部１７０から出力されたアレイ検査信号ＴＤ１はデータ分配部１７０によりデータ線Ｄ１〜Ｄ３ｍに伝達される。
【００５３】
また、アレイ検査が終了した後、第１検査トランジスタＭ１１〜Ｍ１ｍは一般にオフ状態を維持する。例えば、第２検査部１８０を用いたシート検査が行われる間、第１検査トランジスタＭ１１〜Ｍ１ｍはオフ状態を維持できる。
【００５４】
但し、本発明の一実施形態に係るＶｔｈ補償部２００がデータ線Ｄ１〜Ｄ３ｍを初期化するための駆動素子を備えない場合、第１検査トランジスタＭ１１〜Ｍ１ｍはシート検査期間中、リセット期間に第２パッドＰ２から供給されるゲートローレベル電圧ＶＧＬによりターンオンされて第１パッドＰ１から供給されるリセット電圧Ｖｒｅｓｅｔをデータ線Ｄ１〜Ｄ３ｍに供給することもできる。これについての詳細な説明は後述する。
【００５５】
一方、第１検査部１６０はパネル１１０に対する検査が完了し、それぞれのパネル１１０がマザー基板１００からスクライビングされた後は、オフ状態を維持する。例えば、第１検査部１６０はパネル１１０が実際に駆動される期間にはパッド部１９０から供給されるバイアス信号により安定してオフ状態を維持できる。
【００５６】
データ分配部１７０は第１検査部１６０とデータ線Ｄ１〜Ｄ３ｍとの間に接続されて、第１検査トランジスタＭ１１〜Ｍ１ｍのそれぞれを経由して出力線Ｏ１〜Ｏｍに供給されるアレイ検査信号ＴＤ１又はリセット電圧Ｖｒｅｓｅｔを複数のデータ線Ｄ１〜Ｄ３ｍに分配して出力する。ここで、データ分配部１７０は、一般的なＤＥＭＵＸ（分離）構造などを採用できるものであって、データ分配部１７０の回路構成についての詳細な説明は省略する。
【００５７】
このようなデータ分配部１７０は、アレイ検査が行われる間にはパッド部１９０に備えられた第３〜第５パッドＰ３、Ｐ４、Ｐ５を介して赤色、緑色及び青色クロック信号ＣＬＫ＿ＲＧＢの供給を受け、これに対応して駆動しながら、アレイ検査信号ＴＤ１をデータ線Ｄ１〜Ｄ３ｍに分配して出力する。
【００５８】
また、データ分配部１７０は、シート検査が行われる間にはオフ状態を維持したり、或いはシート配線を介して供給されるスイッチング信号ＳＷによりターンオンされたりして、第１検査部１６０から供給されるリセット電圧Ｖｒｅｓｅｔをデータ線Ｄ１〜Ｄ３ｍに出力できる。
【００５９】
一方、データ分配部１７０は、パネル１１０に対する検査が完了し、それぞれのパネル１１０がマザー基板１００からスクライビングされた後は、図示されていないデータ駆動部の出力線から供給されるデータ信号をデータ線Ｄ１〜Ｄ３ｍに分配して出力する。ここで、データ駆動部はスクライビングが完了したパネル１１０上に第１検査部１６０と重なるようにＩＣチップの形態などで実装されていてもよい。
【００６０】
第１検査部１６０及びデータ分配部１７０を用いたアレイ検査過程を詳細に説明すれば、まずアレイテスト装置などを用いて第１〜第５パッドＰ１〜Ｐ５にそれぞれアレイ検査信号ＴＤ１、アレイ検査制御信号ＴＤ２、赤色、緑色及び青色クロック信号ＣＬＫ＿ＲＧＢを供給する。
【００６１】
すると、アレイ検査制御信号ＴＤ２に対応して第１検査トランジスタＭ１１〜Ｍ１ｍがターンオンされ、これにより、第１パッドＰ１から供給されるアレイ検査信号ＴＤ１が出力線Ｏ１〜Ｏｍに出力される。
【００６２】
すると、データ分配部１７０は赤色、緑色及び青色クロック信号ＣＬＫ＿ＲＧＢに対応して第１検査部１６０の出力線Ｏ１〜Ｏｍから供給されるアレイ検査信号ＴＤ１を赤色、緑色及び／又は青色副画素のデータ線Ｄ１〜Ｄ３ｍに分配して出力する。これにより、パネル１１０でアレイ検査が行われる。
【００６３】
一方、走査駆動部１４０内に含まれたトランジスタ（図示せず）、走査線Ｓ１〜Ｓｎ及び／又は画素電源線などにもアレイ検査のための信号が供給されて、これらの連結状態を検査することもできる。
【００６４】
第２検査部１８０はデータ線Ｄ１〜Ｄ３ｍの他側端とＶｔｈ補償部２００との間に接続されて、シート配線からＶｔｈ補償部２００を経由してパネル１１０内部に供給されるシート検査信号ＴＤ２＿Ｒ、ＴＤ２＿Ｇ、ＴＤ２＿Ｂをデータ線Ｄ１〜Ｄ３ｍに伝達する。シート検査信号ＴＤ２＿Ｒ、ＴＤ２＿Ｇ、ＴＤ２＿Ｂは、点灯検査信号又はエージング信号などに設定され得る。
【００６５】
そのために、第２検査部１８０は赤色、緑色及び青色のシート検査信号ＴＤ２＿Ｒ、ＴＤ２＿Ｇ、ＴＤ２＿Ｂが入力される入力ラインとデータ線Ｄ１〜Ｄ３ｍとの間に接続される複数の第２検査トランジスタＭ１〜Ｍ３ｍを備える。ここで、第２検査トランジスタＭ１〜Ｍ３ｍのゲート電極はシート配線を介してシート検査制御信号ＴＧ２が入力される入力ラインに共通して接続される。
【００６６】
このような第２検査トランジスタＭ１〜Ｍ３ｍは、シート検査期間に供給されるシート検査制御信号ＴＧ２に対応して同時にターンオンされてＶｔｈ補償部２００を経由して供給されるシート検査信号ＴＤ２＿Ｒ、ＴＤ２＿Ｇ、ＴＤ２＿Ｂをデータ線Ｄ１〜Ｄ３ｍに伝達する。
【００６７】
第２検査部１８０を用いたシート検査の実行過程を詳細に説明すれば、まず第３シート配線１３１からシート検査制御信号ＴＧ２が供給されれば、第２検査トランジスタＭ１〜Ｍ３ｍがいずれもターンオンされる。これにより、第４シート配線１３２から供給されるシート検査信号ＴＤ２＿Ｒ、ＴＤ２＿Ｇ、ＴＤ２＿ＢがＶｔｈ補償部２００及び第２検査部１８０を経由して各データ線Ｄ１〜Ｄ３ｍに供給される。
【００６８】
そして、第１配線グループ１２０の第２配線１２２から走査駆動部１４０に第１走査駆動電源、第２走査駆動電源及び走査制御信号ＳＣＳが供給される。すると、走査駆動部１４０は順次走査信号を生成して画素部１５０に供給する。従って、走査信号及びシート検査信号ＴＤ２＿Ｒ、ＴＤ２＿Ｇ、ＴＤ２＿Ｂの供給を受けた画素１５２が発光して映像を表示することで、点灯検査などのシート検査が行われるようになる。
【００６９】
一方、第２検査部１８０は第１及び第２配線グループ１２０、１３０を用いたシート検査が行われない間はオフ状態を維持する。例えば、第１検査部１６０及びデータ分配部１７０を用いたアレイ検査時（アレイ検査信号ＴＤ１とシート検査信号ＴＤ２＿Ｒ、ＴＤ２＿Ｇ、ＴＤ２＿Ｂは互いに異なる時間に供給される）や、それぞれのパネル１１０がマザー基板１００からスクライビングされた後、第２検査部１８０はパッド部１９０から供給されるバイアス信号に対応してオフ状態を維持できる。即ち、スクライビング後は、第２検査部１８０はパネル１１０の駆動に用いられず、トランジスタグループに残る。
【００７０】
パッド部１９０は、外部から供給される電源及び／又は信号をパネル１１０内部に伝達するための複数のパッドＰを含む。
【００７１】
第１配線グループ１２０はパネル１１０の外郭領域、例えば、パネル１１０間の境界領域に第１方向（垂直方向）に形成されて、シート検査パッドＴＰを介して外部から供給される検査用電源及び／又は信号をパネル１１０に伝達する複数のシート配線を含む。
【００７２】
例えば、第１配線グループ１２０は、第１画素電源ＥＬＶＤＤを伝達する第１シート配線１２１と、走査駆動電源及び走査制御信号ＳＣＳを伝達する第２シート配線１２２を含むことができる。ここで、第２シート配線１２２は１つの配線で示したが、実際には複数の配線で構成され得る。例えば、第２シート配線１２２は、それぞれ第１走査駆動電源ＶＤＤ、第２走査駆動電源ＶＳＳ、スタートパルスＳＰ、走査クロック信号ＣＬＫ及び出力イネーブル信号ＯＥの供給を受ける５つの配線で構成されることができる。このような第２シート配線１２２の数は走査駆動部１４０の回路構成に応じて多様に変更され得る。
【００７３】
このような第１配線グループ１２０は同じ列に配列されるパネル１１０に共通して接続されてシート検査時に自身に供給される検査用電源及び／又は信号を自身と接続されたパネル１１０に伝達する。
【００７４】
第２配線グループ１３０はパネル１１０の外郭領域、例えば、パネル１１０間の境界領域に第１方向と交差する第２方向（水平方向）に形成されて、シート検査パッドＴＰを介して外部から供給される検査用電源及び／又は信号をパネル１１０に伝達する複数の他のシート配線を含む。
【００７５】
例えば、第２配線グループ１３０は、シート検査制御信号ＴＧ２を伝達する第３シート配線１３１、シート検査信号ＴＤ２＿Ｒ、ＴＤ２＿Ｇ、ＴＤ２＿Ｂを伝達する第４シート配線１３２及び第２画素電源ＥＬＶＳＳを伝達する第５シート配線１３３を含むことができる。ここで、第４シート配線１３２は１つの配線で示したが、実際には複数の配線で構成されていてもよい。例えば、第４シート配線１３２は、赤色シート検査信号ＴＤ２＿Ｒ、緑色シート検査信号ＴＤ２＿Ｇ及び青色シート検査信号ＴＤ２＿Ｂを伝達する３つの配線で構成されていてもよい。
【００７６】
このような第２配線グループ１３０は同じ行に配列されるパネル１１０に共通して接続されてシート検査時に自身に供給される検査用電源及び／又は信号を自身と接続されたパネル１１０に伝達する。
【００７７】
前述した有機電界発光表示装置のマザー基板１００によれば、それぞれのパネル１１０をスクライビングしないシート状態でパネル１１０の不良検査を行うことができる。
【００７８】
ここで、パネル１１０検査は大きくアレイ検査とシート検査とに分けられる。
【００７９】
アレイ検査は各パネル１１０に含まれたトランジスタ及び／又は配線の連結状態を点検するためのものであって、有機電界発光ダイオードが形成される以前、即ち、トランジスタ形成工程と有機電界発光ダイオード形成工程との間に行われる。
【００８０】
このようなアレイ検査は配線などの連結状態が不良なパネル１１０を予め検出し、場合によっては、不良を修理して有機電界発光ダイオード形成工程などの後続工程が行われるように、パネル１１０単位で行われる。即ち、アレイ検査は外部のアレイテスト装置（図示せず）を用いて個々のパネル１１０単位でパッド部１９０、又は露出した信号線、電源線及び／又は電極にアレイ検査のための信号及び／又は電源を供給し、配線及び／又はトランジスタなどに流れる電流や、これらに印加された電圧などを検出することで、実行され得る。
【００８１】
特に、アレイ検査時にはパッド部１９０を介して第１検査部１６０にアレイ検査信号ＴＤ１を供給し、第１検査部１６０に供給されたアレイ検査信号ＴＤ１がデータ分配部１７０を経由してデータ線Ｄ１〜Ｄ３ｍに伝達されるようにする。
【００８２】
このように、パネル１１０にアレイ検査信号を供給することで、パネル１１０のそれぞれに形成された配線及び／又はトランジスタの連結状態（即ち、オープン欠陥やショート欠陥が発生したか否か）を確認することができる。
【００８３】
一方、シート検査はパネル１１０の点灯検査及び／又はエージングなどをマザー基板上で一度に行うためのものであって、有機電界発光ダイオード形成工程が完了した後に行われる。
【００８４】
このようなシート検査はマザー基板１００上で個別にアレイ検査が完了した複数のパネル１１０に対してシート単位で行われ、検査の効率性を向上させる。但し、シート単位でパネル１１０に対して検査を行うために、複数のパネル１１０を連結するシート配線（即ち、第１及び第２配線グループ１２０、１３０）を形成し、シート配線を介して複数のパネル１１０に検査のための信号及び／又は電源を供給する。
【００８５】
ここで、シート検査は第１検査部１６０及びデータ分配部１７０をオフさせた状態で第２検査部１８０にシート検査信号を供給することで実行され得る。即ち、シート検査信号ＴＤ２＿Ｒ、ＴＤ２＿Ｇ、ＴＤ２＿Ｂとアレイ検査信号ＴＤ１は同時に供給されない。
【００８６】
このために、第１及び／又は第２配線グループ１２０、１３０には、第１検査部１６０及びデータ分配部１７０と電気的に連結されてシート検査が行われる間に第１検査部１６０及びデータ分配部１７０にバイアス信号を供給する少なくとも１つの配線（図示せず）が更に含まれ得る。
【００８７】
これは第１及び第２配線グループ１２０、１３０を介して複数のパネル１１０に同時に電源及び信号を供給する過程で発生した信号遅延による少なくとも一部パネル１１０の誤作動を防止するためである。
【００８８】
より具体的には、マザー基板１００の中央部に位置するパネル１１０ほど、シート検査のための電源及び／又は信号が供給されるシート検査パッドＴＰからの距離が増加するようになるので、第１及び第２配線グループ１２０、１３０を経由する過程で信号遅延が進むことによって、遅れた電源及び／又は信号の供給を受けたパネル１１０が誤作動し得る。
【００８９】
特に、データ分配部１７０に供給される赤色、緑色及び青色クロック信号ＣＬＫ＿ＲＧＢに遅延が発生する場合、画素回路でデータ電圧を充電する時間を十分に確保できずに正常な画像が表示されず、或いは、シート検査制御信号ＴＧ２と各クロック信号ＣＬＫ＿ＲＧＢを同期化し難いという問題がある。
【００９０】
従って、第１及び第２配線グループ１２０、１３０を通じたシート検査時にはデータ分配部１７０を介してシート検査信号ＴＤ２＿Ｒ、ＴＤ２＿Ｇ、ＴＤ２＿Ｂを供給せず、別途の第２検査部１８０を備えてシート検査信号ＴＤ２＿Ｒ、ＴＤ２＿Ｇ、ＴＤ２＿Ｂを供給することで、パネル１１０の誤作動を防止する。即ち、データ分配部１７０のアレイ検査は各パネル１１０に対するアレイ検査段階で行われ、シート検査が行われる間にデータ分配部１７０はオフされるように設定される。
【００９１】
反面、第２検査部１８０は同じシート検査制御信号ＴＧ２により同時にターンオンされてデータ線Ｄ１〜Ｄ３ｍにシート検査信号ＴＤ２＿Ｒ、ＴＤ２＿Ｇ、ＴＤ２＿Ｂを供給する複数の第２検査トランジスタＭ１〜Ｍ３ｍで構成されるので、データ分配部１７０に遅れた信号が入力される時に発生し得る同期化が難しいなどの問題を解決して誤作動を防止することで、点灯検査などのシート検査を効果的に行うようになる。
【００９２】
一方、後述する本発明の他の実施形態ではシート検査時にデータ線Ｄ１〜Ｄ３ｍを初期化するために第１検査部１６０及びデータ分配部１７０がリセット期間にターンオンされることもできるが、この場合、データ分配部１７０のクロック信号ＣＬＫ＿ＲＧＢが入力される入力ラインは図示していない１つのシート配線に共通して連結されて１つのスイッチング信号ＳＷにより動作するので、同期化などに問題が生じない。
【００９３】
前述したように、本発明の実施形態に係る有機電界発光表示装置のマザー基板１００によれば、マザー基板１００上に形成された各パネル１１０に対するアレイ検査を行えるのはもちろん、第１及び第２配線グループ１２０、１３０を介して複数のパネル１１０に一度に検査用電源及び／又は信号を供給してシート単位で検査を行うこともできる。
【００９４】
これにより、検査時間を短縮し、費用を削減するなど検査の効率性を向上させることができる。更に、パネル１１０を構成する回路配線が変更されたり、パネル１１０のサイズが変更されたりしても、第１及び第２配線グループ１２０、１３０の回路配線とマザー基板１００のサイズが変更されなければ、検査装備やジグを変更しなくても検査を行える。
【００９５】
但し、本実施形態において、第１及び第２配線グループ１２０、１３０に含まれたシート配線のうち、シート検査信号ＴＤ２＿Ｒ、ＴＤ２＿Ｇ、ＴＤ２＿Ｂを伝達する第４シート配線１３２をパネル１１０のそれぞれに連結する連結配線ＣＬにはＶｔｈ補償部２００が接続される。
【００９６】
Ｖｔｈ補償部２００はシート検査信号ＴＤ２＿Ｒ、ＴＤ２＿Ｇ、ＴＤ２＿Ｂからパネル１１０の画素１５２に備えられた駆動トランジスタの閾値電圧に相応する電圧を差し引いてパネル１１０に供給する。
【００９７】
ここで、パネル１１０のそれぞれが赤色光を放出する赤色画素、緑色光を放出する緑色画素及び青色光を放出する青色画素を含み、シート検査信号ＴＤ２＿Ｒ、ＴＤ２＿Ｇ、ＴＤ２＿Ｂを伝達する第４配線１３２がそれぞれ赤色シート検査信号ＴＤ２＿Ｒ、緑色シート検査信号ＴＤ２＿Ｇ及び青色シート検査信号ＴＤ２＿Ｂを伝達する少なくとも３つの配線で構成される場合、Ｖｔｈ補償部２００は前記少なくとも３つの配線のそれぞれに接続されていてもよい。
【００９８】
即ち、本実施形態はシート配線のうち、一部のシート配線を用いて複数のパネル１１０のデータ線Ｄ１〜Ｄ３ｍにシート検査信号ＴＤ２＿Ｒ、ＴＤ２＿Ｇ、ＴＤ２＿Ｂを供給し、前記シート検査信号ＴＤ２＿Ｒ、ＴＤ２＿Ｇ、ＴＤ２＿Ｂから画素１５２に備えられた駆動トランジスタの閾値電圧に相応する電圧を差し引いてパネル１１０に供給することを特徴とする。
【００９９】
このために、Ｖｔｈ補償部２００には、シート検査信号ＴＤ２＿Ｒ、ＴＤ２＿Ｇ、ＴＤ２＿Ｂが供給される期間にダイオード連結され、画素１５２に備えられた駆動トランジスタの閾値電圧と類似又は同一の閾値電圧を有するトランジスタが備えられ、前記トランジスタがダイオード連結された状態で前記トランジスタを経由してシート検査信号ＴＤ２＿Ｒ、ＴＤ２＿Ｇ、ＴＤ２＿Ｂをパネル１１０に供給する。
【０１００】
前述したように、本実施形態ではマザー基板１００上にシート配線を設計してシート検査が可能なようにし、シート検査信号ＴＤ２＿Ｒ、ＴＤ２＿Ｇ、ＴＤ２＿Ｂがパネル１１０に入力される入力ラインに駆動トランジスタの閾値電圧を補償するためのＶｔｈ補償部２００を連結する。これにより、単純な構造の画素回路を採用した有機電界発光表示装置でも閾値電圧の偏差によるシート検査時の輝度偏差を防止すると共に、エージングを効果的に行える。
【０１０１】
このようなＶｔｈ補償部２００は、自身を経由してシート検査信号ＴＤ２＿Ｒ、ＴＤ２＿Ｇ、ＴＤ２＿Ｂの伝達を受けるパネル１１０のスクライビングラインの外部に位置する。これにより、Ｖｔｈ補償部２００はスクライビング後にはパネル１１０の他の構成要素と電気的に絶縁されてパネル１１０の実際の駆動には影響を及ぼさない。
【０１０２】
図４は、図３に示すＶｔｈ補償部２００の一例を示す回路図である。そして、図５は、図４に示すＶｔｈ補償部２００の駆動方法を説明する波形図である。
【０１０３】
まず、図４を参照すれば、Ｖｔｈ補償部２００は、赤色、緑色及び青色シート検査信号ＴＤ２＿Ｒ、ＴＤ２＿Ｇ、ＴＤ２＿Ｂを伝達するシート配線のそれぞれに接続される第１〜第３補償回路２１０、２２０、２３０を含む。
【０１０４】
ここで、それぞれの第１〜第３補償回路２１０、２２０、２３０は、第１〜第３トランジスタＴ１〜Ｔ３とキャパシタＣを含み、互いに同一に構成されるので、以下では１つの補償回路を基準にＶｔｈ補償部２００の構成を説明する。
【０１０５】
Ｖｔｈ補償部２００は、シート検査信号ＴＤ２＿Ｒ、ＴＤ２＿Ｇ、ＴＤ２＿Ｂを伝達するシート配線とそれの伝達を受けるパネルのパッドＰとの間に接続される第１トランジスタＴ１と、第１トランジスタＴ１のゲート電極とドレイン電極との間に接続され、第１スイッチング信号ＳＷ１によりシート検査信号ＴＤ２＿Ｒ、ＴＤ２＿Ｇ、ＴＤ２＿Ｂが伝達される期間に第１トランジスタＴ１をダイオード連結する第２トランジスタＴ２と、第１トランジスタＴ１のドレイン電極とリセット電圧源Ｖｒｅｓｅｔとの間に接続され、第２スイッチング信号ＳＷ２によりシート検査信号ＴＤ２＿Ｒ、ＴＤ２＿Ｇ、ＴＤ２＿Ｂが供給される前であるリセット期間に第１トランジスタＴ１のドレイン電極の電圧を初期化する第３トランジスタＴ３と、第１トランジスタＴ１のゲート電極とゲートハイレベル電圧源ＶＧＨとの間に接続されるキャパシタＣとを含む。
【０１０６】
このようなＶｔｈ補償部２００の駆動方法を図５の波形図と結びつけて説明すると、まず、リセット期間にハイレベルの第１スイッチング信号ＳＷ１とローレベルの第２スイッチング信号ＳＷ２が供給される。
【０１０７】
これにより、第２トランジスタＴ２はターンオフされ、第３トランジスタＴ３はターンオンされる。
【０１０８】
第３トランジスタＴ３がターンオンされれば、リセット電圧源Ｖｒｅｓｅｔの電圧により第１トランジスタＴ１のドレイン電極の電圧が初期化される。リセット電圧源Ｖｒｅｓｅｔの電圧は、以後の補償及び検査信号印加期間にシート検査信号ＴＤ２＿Ｒ、ＴＤ２＿Ｇ、ＴＤ２＿Ｂが入力されるシート配線からパッドＰに向かう方向が第１トランジスタＴ１の順方向ダイオードの連結方向になり得る程度に低い電圧に設定される。このとき、パネルのデータ線は、第２検査部を経由して第１トランジスタＴ１のドレイン電極と連結され得るので、データ線も共に初期化され得る。
【０１０９】
このようなリセット期間に第１トランジスタＴ１はキャパシタＣによりゲートハイレベル電圧源ＶＧＨの影響を受けてオフ状態を維持する。
【０１１０】
その後、補償及び検査信号印加期間にローレベルの第１スイッチング信号ＳＷ１とハイレベルの第２スイッチング信号ＳＷ２が供給される。
【０１１１】
これにより、第３トランジスタＴ３はターンオフされ、第２トランジスタＴ２はターンオンされる。
【０１１２】
第２トランジスタＴ２がターンオンされれば、第１トランジスタＴ１がダイオード連結される。これにより、シート検査信号ＴＤ２＿Ｒ、ＴＤ２＿Ｇ、ＴＤ２＿Ｂが第１トランジスタＴ１を経由しながら第１トランジスタＴ１の閾値電圧だけ差し引かれてパッドＰに入力される。パッドＰに入力されたシート検査信号ＴＤ２＿Ｒ、ＴＤ２＿Ｇ、ＴＤ２＿Ｂは、第２検査部によりデータ線に供給される。
【０１１３】
ここで、第１トランジスタＴ１の閾値電圧は画素に備えられた駆動トランジスタの閾値電圧と相応する値に設計される。例えば、第１トランジスタＴ１の閾値電圧は、駆動トランジスタの閾値電圧と類似又は同一の値に設計され得る。
【０１１４】
これにより、画素は閾値電圧が予め差し引かれたシート検査信号ＴＤ２＿Ｒ、ＴＤ２＿Ｇ、ＴＤ２＿Ｂの供給を受けるので、駆動トランジスタにより有機発光ダイオードに供給される駆動電流で閾値電圧効果が相殺されながら、パネル及び画素の輝度偏差が防止される。
【０１１５】
図６は、図３に示すＶｔｈ補償部２００の他の例を示す回路図である。便宜上、図６を説明する時、図４と同一の部分についての詳細な説明は省略する。
【０１１６】
図６を参照すれば、Ｖｔｈ補償部２００’は第３トランジスタＴ３を備えず、従って、データ線にリセット電圧源の電圧を供給しない。
【０１１７】
但し、この場合、第１及び第２トランジスタＴ１、Ｔ２により閾値電圧が差し引かれたシート検査信号ＴＤ２＿Ｒ、ＴＤ２＿Ｇ、ＴＤ２＿Ｂを供給する前であるリセット期間に図３に示す第１検査部１６０及びデータ分配部１７０を用いてリセット電圧Ｖｒｅｓｅｔを供給できる。
【０１１８】
即ち、Ｖｔｈ補償部２００’で初期化のための構成要素が省略される場合、シート検査期間中に各パネルにシート検査信号ＴＤ２＿Ｒ、ＴＤ２＿Ｇ、ＴＤ２＿Ｂの供給に先立ち、第１検査部１６０及びデータ分配部１７０を用いてデータ線Ｄ１〜Ｄ３ｍにリセット電圧Ｖｒｅｓｅｔを供給できる。より具体的には、第１検査部１６０及びデータ分配部１７０にスイッチング信号ＳＷ及びゲートローレベル電圧ＶＧＬを供給してこれらをターンオンさせた状態で、第１検査トランジスタＭ１１〜Ｍ１ｍのソース電極にリセット電圧Ｖｒｅｓｅｔを供給することにより、データ線Ｄ１〜Ｄ３ｍにリセット電圧Ｖｒｅｓｅｔを供給できる。
【０１１９】
このために、第１又は第２配線グループには、第１検査部１６０にゲートローレベル電圧ＶＧＬ及びリセット電圧Ｖｒｅｓｅｔを供給するためのシート配線と、データ分配部１７０にスイッチング信号ＳＷを供給するためのシート配線が追加で備えられることができる。このとき、データ分配部１７０に赤色、緑色及び青色クロック信号ＣＬＫ＿ＲＧＢを供給するための入力配線は１つのシート配線に共通して接続され得る。
【０１２０】
前述したようなＶｔｈ補償部２００’を採用する場合、図４のＶｔｈ補償部２００と比較して第３トランジスタＴ３を省略できる。これにより、Ｖｔｈ補償部２００’が単純になって設計が容易になり、第１トランジスタＴ１を更に大きく設計できるため、閾値電圧の補償能力を向上させることができる。
【０１２１】
また、シート検査時に第１検査部１６０及びデータ分配部１７０を駆動するので、シート検査時にデータ分配部１７０の正常駆動如何も確認できる。
【０１２２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１２３】
１０    画素
１２    画素回路
１００    マザー基板
１１０    パネル
１２０    第１配線グループ
１３０    第２配線グループ
１４０    走査駆動部
１５０    画素部
１５２    画素
１６０    第１検査部
１７０    データ分配部
１８０    第２検査部
１９０    パッド部
２００    Ｖｔｈ補償部
２１０    第１補償回路
２２０    第２補償回路
２３０    第３補償回路
【図１】
2011082130.tif 000003
【図２】
2011082130.tif 000004
【図３】
2011082130.tif 000005
【図４】
2011082130.tif 000006
【図５】
2011082130.tif 000007
【図６】
2011082130.tif 000008